(57)【特許請求の範囲】
【請求項１】
一方向に水平に並べて配置された第一，第二の少なくとも２つの燃焼部と、上記燃焼部に対応してその上方にそれぞれ配置された第一，第二の少なくとも２つの熱交換部と、これら複数の熱交換部を囲んで保持する共通の保持胴と、この保持胴から下方に延びて上記複数の燃焼部からの火炎を囲む共通の燃焼胴と、上記複数の燃焼部にガスを供給する手段と、上記複数の燃焼部に燃焼用空気を供給するとともに上記複数の熱交換部を通る燃焼ガスの排気を行う共通のファンとを備え、
上記第一熱交換部は、給水管と給湯管が接続されることにより給湯用に提供され、上記第二熱交換部は、循環系の往路管と復路管が接続されることによりこの循環系の加熱に用いられる燃焼装置において、
少なくとも第二燃焼部は、複数の燃焼部の並び方向に並べられた複数の燃焼領域を有し、上記ガス供給手段は、第一，第二の燃焼部へのガスの選択供給を行うとともに、第二燃焼部の複数の燃焼領域へのガスの選択供給を行い、
上記ガス供給手段は、特に第一燃焼部で燃焼を停止し第二燃焼部で燃焼を行う際には、上記複数の領域のうち第一，第二燃焼部間の境界の近傍に配置された燃焼領域へのガス供給を停止させて、当該燃焼領域でファンによる空気だけを通過させ、第一，第二燃焼部での同時燃焼の際には、上記第二燃焼部の複数の燃焼領域の全てにガスを供給することを特徴とする燃焼装置。
【請求項２】
上記ガス供給手段は、第一燃焼部での燃焼が停止されることにより給湯が停止されてから所定時間経過する間は、第二燃焼部の燃焼の際に上記境界近傍の燃焼領域へのガス供給を停止し、所定時間経過した後は、第二燃焼部の燃焼の際にすべての燃焼領域へのガス供給を行うことを特徴とする請求項１に記載の燃焼装置。
【請求項３】
一方向に水平に並べて配置された第一，第二の少なくとも２つの燃焼部と、上記燃焼部に対応してその上方にそれぞれ配置された第一，第二の少なくとも２つの熱交換部と、これら複数の熱交換部を囲んで保持する共通の保持胴と、この保持胴から下方に延びて上記複数の燃焼部からの火炎を囲む共通の燃焼胴と、上記複数の燃焼部にガスを供給する手段と、上記複数の燃焼部に燃焼用空気を供給するとともに上記複数の熱交換部を通る燃焼ガスの排気を行う共通のファンとを備え、
上記第一熱交換部は、給水管と給湯管が接続されることにより給湯用に提供され、上記第二熱交換部は、循環系の往路管と復路管が接続されることによりこの循環系の加熱に用いられる燃焼装置において、
上記第一，第二の熱交換部の境界の真下には、上記第一，第二燃焼部間において第三燃焼部が配置され、
上記ガス供給手段は、第一燃焼部の単独燃焼時，第二燃焼部の単独燃焼時には、第三燃焼部へのガス供給を停止し、第一，第二燃焼部の同時燃焼の際には、第一燃焼部，第二燃焼部のみならず第三燃焼部へもガスを供給することを特徴とする燃焼装置。
【請求項４】
各燃焼部が薄型のバーナ要素を並べることにより構成され、各バーナ要素は、下部にガスと空気を導入するための導入口を有し、上面に空気とガスの混合気体を吹き出す炎口を有し、ガス供給停止状態では、空気のみを導入口から導入して炎口から上方へ吹き出すことを特徴とする請求項１〜３のいずれかに記載の燃焼装置。
【請求項５】
各熱交換部において、多数の垂直フィンプレートが、熱交換部の並び方向に延び、熱交換部の並び方向と直交する方向に並べられており、流体を通す流通管が、熱交換部の並び方向と直交する方向にフィンプレートを貫通していることを特徴とする請求項１〜４のいずれかに記載の燃焼装置。
【請求項６】
上記第一,第二の熱交換部のフィンプレートが連なることにより共通フィンプレートが構成されており、この共通フィンプレートには第一,第二熱交換部の境界において開口が形成されていることを特徴とする請求項５に記載の燃焼装置。
【発明の詳細な説明】
【０００１】
【発明の属する技術分野】
本発明は、複数の用途に用いられる燃焼装置に関する。
【０００２】
【従来の技術】
従来、給湯と風呂追焚、給湯と暖房等、２つの用途に用いられる燃焼装置には、大別して２缶２水型と、１缶２水型がある。
２缶２水型の燃焼装置は、２つの独立した熱交換部と、これら熱交換部に対応する互いに独立した燃焼部とを備えており、２つの機能を互いに干渉させることなく実行できるが、装置が大型になるとともに高価であった。
【０００３】
一般的な１缶２水型の燃焼装置は、共通の熱交換部と燃焼部を一つずつ備えている。熱交換部は、多数のフィンプレートに、給湯用と風呂追焚用の２本の通水管（流通管）を貫通することにより構成されている。この装置では、構成が小型で簡単になり安価であるが、給湯，風呂追焚のいずれを実行する時でも、同じ燃焼部で燃焼が行われ、同じ熱交換部が加熱されるので、２つの機能が互いに干渉し合う欠点があった。
【０００４】
特公平２ー１７７８４号公報には、改良された１缶２水型の燃焼装置が開示されている。この燃焼装置は、１つのフレーム内に、給湯と風呂追焚のための熱交換部が、それぞれ左右に配置されており、これら熱交換部に対応する燃焼部がその真下に配置されている。上記フレームは上部が熱交換部を保持する保持胴となり、下部が燃焼部からの炎を囲む燃焼胴となっている。この構成では、給湯と風呂追焚の相互干渉が小さくなるにも拘わらず、２つの熱交換部が１つのフレーム内に収まるため、小型で安価である。
【０００５】
【発明が解決しようとする課題】
しかし、上記公報の装置では、燃焼胴の内部空間を仕切らないと、給湯用と風呂追焚の相互干渉をより一層小さくしたいという要求に答えることができない。なぜなら、仕切りがないと、燃焼部の火炎の揺らぎにより、対応する熱交換部のみならず、他の熱交換部の一部（熱交換部間の境界に近い部位）をも加熱してしまうからである。そのため、燃焼胴の内部空間を仕切る仕切り壁を必要とし、製造コストが高かった。
【０００６】
【課題を解決するための手段】
請求項１の発明は、一方向に水平に並べて配置された第一，第二の少なくとも２つの燃焼部と、上記燃焼部に対応してその上方にそれぞれ配置された第一，第二の少なくとも２つの熱交換部と、これら複数の熱交換部を囲んで保持する共通の保持胴と、この保持胴から下方に延びて上記複数の燃焼部からの火炎を囲む共通の燃焼胴と、上記複数の燃焼部にガスを供給する手段と、上記複数の燃焼部に燃焼用空気を供給するとともに上記複数の熱交換部を通る燃焼ガスの排気を行う共通のファンとを備え、上記第一熱交換部は、給水管と給湯管が接続されることにより給湯用に提供され、上記第二熱交換部は、循環系の往路管と復路管が接続されることによりこの循環系の加熱に用いられる燃焼装置において、少なくとも第二燃焼部は、複数の燃焼部の並び方向に並べられた複数の燃焼領域を有し、上記ガス供給手段は、第一，第二の燃焼部へのガスの選択供給を行うとともに、第二燃焼部の複数の燃焼領域へのガスの選択供給を行い、上記ガス供給手段は、特に第一燃焼部で燃焼を停止し第二燃焼部で燃焼を行う際には、上記複数の領域のうち第一，第二燃焼部間の境界の近傍に配置された燃焼領域へのガス供給を停止させて、当該燃焼領域でファンによる空気だけを通過させ、第一，第二燃焼部での同時燃焼の際には、上記第二燃焼部の複数の燃焼領域の全てにガスを供給することを特徴とする。
【０００７】
請求項２の発明は、請求項１に記載の燃焼装置において、上記ガス供給手段は、第一燃焼部での燃焼が停止されることにより給湯が停止されてから所定時間経過する間は、第二燃焼部の燃焼の際に上記境界近傍の燃焼領域へのガス供給を停止し、所定時間経過した後は、第二燃焼部の燃焼の際にすべての燃焼領域へのガス供給を行うことを特徴とする。
【０００８】
請求項３の発明は、一方向に水平に並べて配置された第一，第二の少なくとも２つの燃焼部と、上記燃焼部に対応してその上方にそれぞれ配置された第一，第二の少なくとも２つの熱交換部と、これら複数の熱交換部を囲んで保持する共通の保持胴と、この保持胴から下方に延びて上記複数の燃焼部からの火炎を囲む共通の燃焼胴と、上記複数の燃焼部にガスを供給する手段と、上記複数の燃焼部に燃焼用空気を供給するとともに上記複数の熱交換部を通る燃焼ガスの排気を行う共通のファンとを備え、上記第一熱交換部は、給水管と給湯管が接続されることにより給湯用に提供され、上記第二熱交換部は、循環系の往路管と復路管が接続されることによりこの循環系の加熱に用いられる燃焼装置において、上記第一，第二の熱交換部の境界の真下には、上記第一，第二燃焼部間において第三燃焼部が配置され、上記ガス供給手段は、第一燃焼部の単独燃焼時，第二燃焼部の単独燃焼時には、第三燃焼部へのガス供給を停止し、第一，第二燃焼部の同時燃焼の際には、第一燃焼部，第二燃焼部のみならず第三燃焼部へもガスを供給することを特徴とする。
【０００９】
請求項４の発明は、請求項１〜３のいずれかに記載の燃焼装置において、各燃焼部が薄型のバーナ要素を並べることにより構成され、各バーナ要素は、下部にガスと空気を導入するための導入口を有し、上面に空気とガスの混合気体を吹き出す炎口を有し、ガス供給停止状態では、空気のみを導入口から導入して炎口から上方へ吹き出すことを特徴とする。
請求項５の発明は、請求項１〜４のいずれかに記載の燃焼装置において、各熱交換部において、多数の垂直フィンプレートが、熱交換部の並び方向に延び、熱交換部の並び方向と直交する方向に並べられており、流体を通す流通管が、熱交換部の並び方向と直交する方向にフィンプレートを貫通していることを特徴とする。
請求項６の発明は、請求項５に記載の燃焼装置において、上記第一,第二の熱交換部のフィンプレートが連なることにより共通フィンプレートが構成されており、この共通フィンプレートには第一,第二熱交換部の境界において開口が形成されていることを特徴とする。
【００１０】
【発明の実施の形態】
以下、本発明の第一の実施形態を図１〜図４を参照しながら説明する。図１は、給湯と風呂追焚の２つの機能を有する１缶２水型の燃焼装置を示す。この燃焼装置は、排気ユニット１０と、熱交換ユニット２０と、バーナユニット３０と、ファン４０とを上から順に連接することにより構成されている。
【００１１】
図１，図４に示すように、上記熱交換ユニット２０は、横断面矩形をなし上下端が開口したフレーム２１と、フレーム２１に収容された２つの熱交換部２３，２４とを備えている。フレーム２１の上部は、熱交換部２３，２４を保持するための保持胴２１ａとなり、下部は燃焼胴２１ｂとして提供される。燃焼胴２１ｂは、バーナユニット３０のフレーム３１に連結されている。
【００１２】
上記熱交換部２３（第一熱交換部）は給湯用に提供され、熱交換部２４（第二熱交換部）は風呂追焚用に提供される。これら熱交換部２３，２４は水平なＸ軸方向に並んでいる。給湯用熱交換部２３には給水管５１と給湯管５２が接続されている。給湯管５２の末端には栓５３が設けられている。風呂追焚用熱交換部２４には、往路管５５と復路管５６を介して浴槽５７の循環金具５８が接続されている。復路管５６には、ポンプ５９が設けられている。往路管５５，復路管５６，浴槽５７は循環系を構成する。
【００１３】
図１，図４に示すように、熱交換ユニット２０は、フレーム２１の保持胴２１ａ内に収容された多数の薄肉の共通フィンプレート２５を有している。共通フィンプレート２５は垂直をなし両熱交換部２３，２４にわたりＸ軸方向に長く延びており、Ｙ軸方向（水平をなしＸ軸と直交する方向）に等しい間隔をおいて並べられている。
【００１４】
各共通フィンプレート２５は、給湯用熱交換部２３に位置する部位すなわち第一フィンプレート２５ａと、風呂追焚用熱交換部２４に位置する部位すなわち第二フィンプレート２５ｂとを有している。このように、共通フィンプレート２５を用いたことにより、製造コストを下げることができる。第一フィンプレート２５ａと第二フィンプレート２５ｂとの架橋部には開口２５ｃが形成されており、この開口２５ｃにより、両フィンプレート２５ａ，２５ｂの熱的干渉を小さくしている。
【００１５】
上記共通フィンプレート２５の第一フィンプレート２５ａ，第二フィンプレート２５ｂには、互いに別系統をなす第一通水管２６，第二通水管２７（流通管）がそれぞれ通っている。第一通水管２６は、第一フィンプレート２５および保持胴２１ａを貫通してＹ軸方向に延びる複数の直管部２６ａと、これら直管部２６ａを連絡するベンド部２６ｂとを有している。同様にして第二通水管２７も、直管部２７ａとベンド部２７ｂとを有している。
【００１６】
図１に示すように、上記バーナユニット３０は、上端が開口した箱形状のフレーム３１と、このフレーム３１内に収容されたバーナアッセンブリ３２とを備えている。このフレーム３１の底壁にファン４０が取り付けられている。
【００１７】
図２に示すように、上記バーナアッセンブリ３２は、第一バーナエレメント３３（バーナ要素）と第二バーナエレメント３４（バーナ要素）とをＸ軸方向に交互に隙間なく多数配列することにより構成されている。これらバーナエレメント３３，３４は、Ｙ軸方向に延びる垂直な薄い平板形状をなしており、図３に示すように下端一側に導入口３３ａ，３４ａを有し、上面に多数の炎口３３ｂ，３４ｂを有している。なお、図３では、図を簡略化するために炎口３３ｂ，３４ｂを少なく示してある。
【００１８】
上記バーナエレメント３３，３４は、導入口３３ａ，３４ａで、後述するノズルブロック７０のノズル部からのガスを受けるとともにファン４０からの空気を受け、両者を内部空洞３３ｃ，３４ｃで混合し、この混合ガスを炎口３３ｂ，３４ｂから吹き出すようになっている。第一バーナエレメント３３では、導入口３３ａが比較的狭く空気導入量が少ないので、混合ガスのガス濃度が理想濃度（燃焼のために過不足ないガス濃度）より高くなる。これとは反対に、第二バーナエレメント３４の導入口３４ａは比較的広く空気導入量が多いので、混合ガスのガス濃度は、上記理想濃度より低くなる。
ファン４が駆動して、バーナエレメント３３，３４の導入口３３ａ，３４ａにガスが供給されない時には、この導入口３３ａ，３４ａにファン４０からの空気のみ導入され、この空気が炎口３３ｂ，３４ｂから吹き出す。
【００１９】
上記バーナアッセンブリ３２は、大別して給湯用燃焼部３５（第一燃焼部）と風呂追焚用燃焼部３６（第二燃焼部）とを有している。これら燃焼部３５，３６は、図１，図２に示すようにＸ軸方向に並んで配置されており、それぞれが所定枚数のバーナエレメント３３，３４により構成されている。給湯用燃焼部３５は、上記給湯用熱交換部２３の真下に配置され、風呂追焚用燃焼部３６は、上記風呂追焚用熱交換部２４の真下に配置されている。燃焼部３５，３６の境界Ｐ’は、熱交換部２３，２４の境界Ｐの真下に位置している。
【００２０】
さらに風呂追焚用燃焼部３６は、２つの燃焼領域３６ａ，３６ｂに分けられる。燃焼領域３６ａは燃焼部３５，３６の境界Ｐ’から離れており、燃焼領域３６ｂが境界Ｐ’の近傍に配置されている。燃焼領域３６ａ，３６ｂはそれぞれ所定枚数のバーナエレメント３３，３４により構成されている。燃焼領域３６ｂのバーナエレメント３３，３４の数は、燃焼領域３６ａより少ない。
【００２１】
図１に示すように、バーナアッセンブリ３２へガスを供給する手段６０は、主管６１と、この主管６１から分岐した３つの分岐管６２，６３，６４とを有している。主管６１には主電磁開閉弁６５と電磁比例弁６６が設けられており、分岐管６２，６３，６４にはそれぞれ補助電磁開閉弁６７，６８，６９が設けられている。分岐管６２，６３，６４にはノズルブロック７０が接続されている。このノズルブロック７０は、分岐管６２，６３，６４にそれぞれ接続された３つの通路を有するとともに、これら３つの通路にそれぞれ接続された３群のノズル部を有している。一つの群のノズル部は、給湯用燃焼部３５のバーナエレメント３３，３４の導入口３３ａ，３４ａに対峙し、他の２つの群のノズル部は、それぞれ、風呂追焚用燃焼部３６の２つの燃焼領域３６ａ，３６ｂのバーナエレメント３３，３４の導入口３３ａ，３４ａに対峙している。
【００２２】
フレーム３１の内部空間においてバーナアッセンブリ３２の上下はバイパス通路７５により結ばれており、このバイパス通路７５には風量センサ７６が設けられている。この風量センサ７６は、バイパス通路７５を通る空気の量か、バーナアッセンブリ３２の上下の圧力差を検出することにより、ファン４０からのバーナアッセンブリ３２を通る送風量に関する情報を得る。
【００２３】
次に、燃焼装置の一般的な作用について説明する。栓５３を開くと、給水管５１，通水管２６，給湯管５２に水が流れる。給水管５１に設けられた水流スイッチ（図示しない）がこれを検出し、この検出信号に応答して制御ユニット８０がファン４を駆動するとともに、主電磁開閉弁６５，補助電磁開閉弁６７を開くことにより、給湯用燃焼部３５での燃焼制御を開始する。その結果、共通フィンプレート２５のうち給湯用燃焼部３５の真上に位置する第一フィンプレート２５ａが主に加熱され、ひいては第一通水管２６を通る給水管５１からの水が加熱され、湯となって給湯管５２へと供給される。
【００２４】
上記給湯が単独で実行されている時には、風呂追焚用燃焼部３６では燃焼が行われないので、風呂追焚用熱交換部２４には、ファン４０からの燃焼を伴わない空気が通過するだけであり、第二通水管２７内の水を加熱しない。また、加熱された第一フィンプレート２５ａから第二フィンプレート２５ｂへ逃げる熱は、開口２５ｃを形成したことにより、少なく抑えることができる。
【００２５】
風呂追焚を単独で行う場合には、制御ユニット８０の制御に基づき、ファン４０を駆動するとともに、ポンプ５９を駆動して、浴槽５７の水を復路管５６，通水管２７，往路管５５を経て循環させる。これと同時に、主電磁開閉弁６５，補助電磁開閉弁６８を開いて、風呂追焚用燃焼部３６の燃焼領域３６ａでの燃焼を開始する。その結果、共通フィンプレート２５のうち風呂追焚用燃焼部３６の燃焼領域３６ａの真上に位置する第二フィンプレート２５ｂが主に加熱され、ひいては第二通水管２７を通る浴槽５７からの水が加熱され、追焚が実行される。
【００２６】
上記風呂追焚を単独で行う際に、給湯用燃焼部３５では燃焼が実行されないので、給湯用熱交換部２３には、ファン４０からの燃焼を伴わない空気が通過するだけであり、第一通水管２６内の水を加熱することはない。また、第二フィンプレート２５ｂから第一フィンプレート２５ａへ逃げる熱も比較的少ない。
【００２７】
しかも、本実施形態では、風呂追焚を単独で行っている時には、補助開閉弁６９が閉じたままであり、燃焼部３５，３６の境界Ｐ’近傍の燃焼領域３６ｂでは空気だけが吹き出している。この吹き出した空気流は、燃焼領域３６ａからの火炎が揺らいで給湯用熱交換部２３を加熱するのを防止するエアカーテンの役割を担うことができる。その結果、第一通水管２６に溜まった水、特に境界Ｐの近傍に位置する直管部２６ａに溜まった水が加熱されるのを確実に防止することができ、ひいては、給湯動作の初期に、所望温度より高い温度が排出される不都合を確実に防止することができる。
【００２８】
なお、本実施形態では、バーナアッセンブリ３２が第一，第二のバーナエレメント３３，３４を交互に並べて構成してある。第二バーナエレメント３４は、希薄な混合ガスを炎口３４ｂから吹き出し、炎口３４ｂの近傍で一気に燃えるので、燃焼ガスの上昇速度が早く火炎は真っすぐ伸びて揺らぎがない。第一バーナエレメント３３は、濃い混合ガスを炎口３３ｂから吹き出すので、隣の第二バーナエレメントからの空気をもらいながら上昇に伴って燃焼を続ける。これら、第一，第二バーナエレメント３３，３４での燃焼により、比較的揺らぎが少ない火炎が得られ、給湯と風呂追焚の相互干渉をより一層少なくすることができる。
【００２９】
給湯と風呂追焚を同時に実行する場合には、補助開閉弁６７，６８，６９がすべて開き、風呂追焚用燃焼部３６では、燃焼領域３６ａのみならず燃焼領域３６ｂでも燃焼がなされるので、風呂追焚を効率良く短時間で行うことができる。
【００３０】
上記ファン４０は、制御ユニット８０により、風量センサ７６からの送風量のフィードバック情報に基づいて上記燃焼部３５，３６でのガス，空気の混合比が所望の値になるように制御される。給湯，風呂追焚の両者を同時に実行している時のみならず、いずれか一方だけを実行している時にも、燃焼胴２３ｂの内部空間が仕切り壁で仕切られていないので１つの風量センサ７６だけの検出情報に基づいて、上記制御を行うことができる。
【００３１】
上記実施形態において、上記風呂追焚の単独燃焼時には、燃焼領域３６ｂへのガス供給停止，燃焼停止状態を、給湯停止から所定時間例えば５分程度の間に限定してもよい。特に、この期間は、通水管２６内の湯がまだ冷えておらず、風呂追焚燃焼部３６の燃焼領域３６ｂからの火炎の熱によって、高温になり易いからである。この所定時間経過後には、風呂追焚を単独で実行する場合でも、燃焼領域３６ａのみならず燃焼領域３６ｂへもガスを供給して、全燃焼領域３６ａ，３６ｂで燃焼を行い、風呂追焚を効率良く短時間で実行することができる。
【００３２】
図５には、本発明の第二の実施形態を示す。この第二の実施形態において、上述した第一の実施形態に対応する構成部には同番号を付してその説明を省略する。この第二実施形態は、バーナアッセンブリ３２のみが上述した最初の実施形態と異なる。すなわち、バーナアッセンブリ３２は、給湯用熱交換部２３のほぼ真下に配置された給湯用燃焼部３５と、風呂追焚用熱交換部２４のほぼ真下に配置された風呂追焚用燃焼部３６の外に、熱交換部２３，２４の境界Ｐの真下に位置し、燃焼部３５，３６の間に配置された境界燃焼部３７（第三燃焼部）を備えている。境界燃焼部３７は、分岐管６４からガスの供給を受ける。
【００３３】
上記第二実施形態において、給湯を単独で実行している時には補助電磁開閉弁６７だけが開いて給湯用燃焼部３５へのガス供給がなされ、風呂追焚を単独で実行している時には、補助電磁開閉弁６８だけが開いて、風呂追焚用燃焼部３６へのガス供給がなされる。このような給湯単独実行時、風呂追焚単独実行時には、補助電磁開閉弁６９は閉じたままであり、境界燃焼部３７では燃焼を停止した状態が維持される。その結果、この境界燃焼部３７からの空気流によりエアカーテンにより、相互の熱的干渉を確実に防止でき、最初の実施例と同等の効果が得られる。
【００３４】
上記第二実施形態において、給湯と風呂追焚を同時に行っている時には、補助電磁開閉弁６７，６８，６９のすべてが開いて、給湯用燃焼部３５，風呂追焚用燃焼３６が同時燃焼するばかりか、境界燃焼部３７でも燃焼が実行される。その結果、給湯，風呂追焚を効率良く行うことができる。
【００３５】
上記熱交換部２４には、風呂追焚用循環系の代わりに、暖房用循環系を接続してもよい。
本発明は、３つの機能を有する燃焼装置に適用してもよい。例えば、図６の第三実施形態では、給湯用熱交換部２３，給湯用燃焼部３５の左側に風呂追焚用熱交換部２４，風呂追焚用燃焼部３６が配置され、右側には暖房用熱交換部２４，暖房用燃焼部３６が配置されている。第一実施形態と同様に、これら風呂追焚用燃焼部３６，暖房用燃焼部３６は、複数の燃焼領域３６ａ，３６ｂをそれぞれ有しており、これら燃焼部３６での燃焼時に、給湯用燃焼部３５で燃焼が行われていない時には、境界Ｐ’近傍の燃焼領域３６ｂは燃焼を停止したままであり、給湯用燃焼部３５でも燃焼が行われている時には、この燃焼領域３６ｂでも燃焼が行われる。その他の構成および作用は、第一実施形態と同様なので、対応構成部に図中同番号を付してその詳細な説明を省略する。
【００３６】
図７に示す第四実施形態も、給湯，風呂追焚，暖房を行うようになっている。図５の第二実施形態と同様に、給湯用熱交換部２３と左隣の風呂追焚用熱交換２４との境Ｐの真下には、境界燃焼部３７が配置され、給湯用熱交換部２３と右隣の暖房用熱交換２４との境Ｐの真下にも、境界燃焼部３７が配置されている。各境界燃焼部３７は隣接する左右の燃焼部３５，３６のいずれかだけで燃焼が行われている時には、燃焼を停止し、両燃焼部３５，３６で燃焼が行われている時には、境界燃焼部３７でも燃焼を行う。他の構成および作用は先行する実施形態と同様である。
【００３７】
上述した２つの実施形態において、濃淡燃焼をそれぞれ独立して行う第一，第二バーナエレメント３３，３４を交互に並べて用いる代わりに、共通バーナエレメントを多数並べて用いてもよい。この共通バーナエレメントは、例えば両側が濃燃焼を行うバーナ要素となり、中央が淡燃焼を行うバーナ要素となっている。また、上記実施形態において、給湯用燃焼部３５は、複数の燃焼領域を有し、要求熱量に応じてこれら燃焼領域へのガス供給を選択的に行うことにより、選択燃焼を行ってもよい。
【００３８】
【発明の効果】
以上説明したように、請求項１の発明によれば、第二燃焼部での単独燃焼時に、燃焼部の境界の近傍に位置する燃焼領域の燃焼を停止することにより、第二燃焼部で生じた燃焼熱が第一熱交換部に及ぶのを最小限に抑えることができ、小型の燃焼装置でありながら、熱的干渉を最小限にすることができる。
より具体的には、循環系の加熱が単独で行われている時に、境界近傍の燃焼領域の燃焼が停止されているので、給湯用の第一熱交換部に燃焼熱が及ぶのを最小限にすることができ、給湯開始時の所望温度より高温の湯が排出されるのを防止することができる。
また、第一，第二の燃焼部の同時燃焼時には、第二燃焼部の燃焼領域の全てで燃焼がなされるので、効率良く第二熱交換部を加熱することができる。
【００３９】
請求項２の発明によれば、循環系の加熱が単独で行われている時に、境界近傍の燃焼領域の燃焼が停止される期間を、給湯終了から所定時間内に限定しているので、それ以外の期間では、効率良く循環系の加熱を行うことができる。
【００４０】
請求項３の発明によれば、第一燃焼部または第二燃焼部での単独燃焼時には、第三燃焼部での燃焼が停止されているので、燃焼部での燃焼熱が他の燃焼部に対応する熱交換部に及ぶのを最小限に押さえることができ、小型の燃焼装置でありながら、熱的干渉を最小限にすることができる。
請求項４の発明によれば、燃焼停止状態のバーナ要素からの空気流がエアカーテンとなって、熱的干渉を確実に防止できる。
請求項５の発明によれば、フィンプレートと通水管の配置により、より一層燃焼装置を小型にでき、それにもかかわらず、請求項１〜４の発明を前提にすることにより、熱的干渉を抑えることができる。
【図面の簡単な説明】
【図１】本発明の一実施形態を示す燃焼装置の概略構成図である。
【図２】同燃焼装置に用いられるバーナアッセンブリの平面図である。
【図３】（Ａ），（Ｂ）は、上記バーナアッセンブリを構成する第一，第二バーナエレメントをそれぞれ示す概略斜視図である。
【図４】同燃焼装置に用いられる熱交換ユニットの平断面図である。
【図５】本発明の第二の実施形態を示す図１相当図である。
【図６】本発明の第三の実施形態を示す図１相当図である。
【図７】本発明の第四の実施形態を示す図１相当図である。
【符号の説明】
２１  フレーム
２１ａ  保持胴
２１ｂ  燃焼胴
２３  給湯用熱交換部（第一熱交換部）
２４  風呂追焚用熱交換部（第二熱交換部）
２５ａ，２５ｂ  フィンプレート
２６，２７  通水管（流通管）
３５  給湯用燃焼部（第一燃焼部）
３６  風呂追焚用燃焼部（第二燃焼部）
３６ａ，３６ｂ  燃焼領域
３７  境界燃焼部（第三燃焼部）
３３，３４  バーナエレメント（バーナ要素）
４０  ファン
５１  給水管
５２  給湯管
５５  往路管
５６  復路管
６０  ガス供給手段
Ｐ，Ｐ’  境界
【図１】
0003683980.tif 000002
【図２】
0003683980.tif 000003
【図３】
0003683980.tif 000004
【図４】
0003683980.tif 000005
【図５】
0003683980.tif 000006
【図６】
0003683980.tif 000007
【図７】
0003683980.tif 000008